(57)【要約】  主軸（Ｚ）に沿って変位可能な第１の可動支持体が設けられた、装備（１２）内に移動機器（Ａ）を装着するための装置（１０）であって、第１の可動支持体が、移動機器（Ａ）を、これがホールド装置によって適所に維持される場所（１）内に配置するために受け入れることができる、装置（１０）。ホールド装置はそれ自体、長手方向軸（Ｘ）に沿って、移動機器（Ａ）がその場所（１）内に置かれ得る、または取り外され得る後退位置と、移動機器（Ａ）が、筺体内で適所に維持される延長位置との間で変位可能である。装備には、さらに、可動支持体とホールド装置の間に配置された機械的伝動手段が設けられ、それにより、移動機器（Ａ）の変位は、ホールド装置（３４）の変位を駆動する。【選択図】図１
2015521555.tif 000002
【特許請求の範囲】
【請求項１】
特に自動車内の装飾計器盤（１４）を有する装備（１２）内に移動機器（Ａ）を装着するための装置（１０）であって、前記装飾計器盤（１４）には、前記移動機器（Ａ）を受け入れることができる筺体（２０）に接近できる開口部（１８）が設けられる、装置（１０）において、
前記筺体（２０）の底部に固定された基部（２２）と、
前記基部（２２）の近くにある押し下げられた位置（Ｐ１）と、前記基部（２２）から遠くにある空の位置（Ｐ２）との間で前記基部（２２）に対して変位可能である可動支持体（３０、３４）であって、前記移動機器（Ａ）を受け入れることができる主壁（３６）を有する、可動支持体（３０、３４）と、
前記可動支持体（３０、３４）をその空の位置（Ｐ２）および押し下げられた（Ｐ１）位置に維持する保持装置（２６、３２、４０、５６）とを備え、
それにより、前記押し下げられた位置（Ｐ１）では、前記移動機器（Ａ）の正面（１６）が、前記開口部（１８）から出現し、前記装備（１２）の前記装飾計器盤（１４）と表面連続状態にあり、前記空の位置（Ｐ２）では、前記可動支持体（３０、３４）の主壁（３６、３８）が、前記開口部（１８）から出現し、前記装備（１２）の前記装飾計器盤（１４）と表面連続状態にあることを特徴とする装置（１０）。
【請求項２】
請求項１に記載の装置（１０）において、前記可動支持体（３０、３４）と前記基部（２２）の間に配置された弾性手段（２４）をさらに備え、前記弾性手段（２４）は、前記可動支持体（３０、３４）を前記空の位置（Ｐ２）に向かって永続的に付勢する、装置（１０）。
【請求項３】
前記１または２に記載の装置（１０）において、前記可動支持体（３０、３４）が、移動機器（Ａ）の型式に左右されない汎用支持体（３０）と、移動機器（Ａ）の特定の型式特有の交換可能な厚みアダプタ（３４）とを備え、前記厚みアダプタ（３４）は、前記汎用支持体（３０）上に配置され、その厚さ（ｅｐ２）は、前記移動機器（Ａ）の厚み（ｅｐ１）に応じて選択され、それにより、前記押し下げられた位置（Ｐ１）では、前記型式の前記移動機器（Ａ）の正面（１６）は、前記装飾計器盤（１４）と表面連続状態にある、装置（１０）。
【請求項４】
請求項１から３のいずれか一項に記載の装置（１０）において、移動機器（Ａ）の特定の型式特有の交換可能な周囲アダプタ（４４）をさらに備え、前記周囲アダプタ（４４）は、前記筺体（２０）の前記開口部（１８）内に配置され固定され、それ自体に、移動機器（Ａ）の前記型式の寸法（Ｌａ、Ｌｇ）特有の開口（５８）が設けられ、それにより、前記移動機器（Ａ）が適所に置かれた状態では、その正面（１６）は、前記特有の開口部（５８）を完全に塞ぎながら、前記装備（１２）の前記装飾計器盤（１４）と表面連続状態にある、装置（１０）。
【請求項５】
請求項１から４のいずれか一項に記載の装置（１０）において、前記保持装置（２６、３２、４０、５６）が、カム（３２）および指部（２６）を備え、前記カム（３２）は、前記可動支持体（３０）または前記基部（２２）に取り付けられ、前記指部は、前記基部（２２）または前記可動支持体（３０）それぞれに取り付けられ、前記カム（３２）および前記指部（２６）は、前記カム（３２）および前記指部（２６）の決定された相対位置（Ｌ３）において、前記可動支持体（３０、３４）が前記押し下げられた位置（Ｐ１）に保持されるように協働する、装置（１０）。
【請求項６】
請求項１から５のいずれか一項に記載の装置（１０）において、前記保持装置（２６、３２、４０、５６）が、前記可動支持体（３０、３４）を前記空の位置（Ｐ２）に保持するように、前記装飾計器盤（１２）に取り付けられた押し付け表面（５６）と協働する、前記可動支持体（３０、３４）に取り付けられた停止部（４０）を備える、装置（１０）。
【請求項７】
請求項１から６のいずれか一項に記載の装置（１０）において、前記可動支持体（３０、３４）の前記主壁（３６）が、分離可能および交換可能な装飾カバー（３８）を含む、装置（１０）。
【請求項８】
請求項１から７のいずれか一項に記載の装置（１０）において、前記移動機器（Ａ）を前記場所（２０）で適所に維持するための装置（６２）をさらに備える装置（１０）。
【請求項９】
請求項８に記載の装置（１０）において、前記装置（６２）が、前記移動機器（Ａ）が中に置かれる、または前記場所（２０）から取り外され得る開位置（ＰＯ）と、前記移動機器（Ａ）が前記場所（２０）で適所に維持される閉位置（ＰＦ）との間で変位可能な板（７０）を備える、装置（１０）。
【請求項１０】
請求項９に記載の装置（１０）において、前記ホールド装置（６２）には、弾性手段（８２、８４）が設けられ、前記弾性手段（８２、８４）は、前記板（７０）の前記閉位置（ＰＦ）において、前記移動機器（Ａ）が適所に維持されるように前記移動機器（Ａ）に力をかける、装置（１０）。
【請求項１１】
請求項１０に記載の装置（１０）において、前記ホールド装置が、さらに、前記板上に配置された第２の弾性手段（８２、８４）を備え、それにより、前記板（７０）の前記閉位置において、前記弾性手段（８２、８４）は、前記移動機器（Ａ）に同時作用の力をかけ、前記同時作用の力は、その隅部において、前記移動機器（Ａ）の位置を前記場所（２０）に調整するようにかけられる、装置（１０）。
【請求項１２】
請求項８から１１のいずれか一項に記載の装置（１０）において、前記移動機器（Ａ）に適合される電気接続器（８８）を備え、それにより、前記機器は、再充電され、他の電子装置を備える電子ネットワークに接続され得る、装置（１０）。
【請求項１３】
請求項１２に記載の装置（１０）において、前記接続器（８８）が、前記板（７０）上に配置され、それにより、前記開位置（ＰＯ）では、前記接続器（８８）は前記移動機器（Ａ）から遠くにあり、前記閉位置（ＰＦ）では、前記接続器（８８）は、前記移動機器（Ａ）に向かって移動され、前記移動機器（Ａ）に相補的に接続される、装置（１０）。
【請求項１４】
請求項９から１３のいずれか一項に記載の装置（１０）において、カムトラック（９６）をさらに備え、前記カムトラック（９６）に対して、カム従動子（９８）が永続的に付勢され、前記トラック（９６）、前記従動子（９８）は、相互に、前記板（７０）に取り付けられ、その一方で前記従動子（９８）、前記トラック（９６）は、相互に前記装備（１２）に取り付けられ、前記従動子（９８）は、前記カムトラック（９６）に沿って、前記板（７０）が前記開位置（ＰＯ）にあるときに到達される第１の位置と、前記板（３０）が前記閉位置（ＰＦ）にあるときに到達される第２の位置との間を進行し、前記カムトラック（９６）には、少なくとも１つの位置決め切欠部（１０２）が設けられ、前記位置決め切欠部（１０２）では、前記従動子（９８）は、前記閉位置（ＰＦ）を安定化するために前記板（７０）の前記閉位置（ＰＦ）に係合される、装置（１０）。
【請求項１５】
請求項９から１４のいずれか一項に記載の装置（１０）において、前記板（７０）に取り付けられた把持手段（６６）をさらに備え、それにより、ユーザは、前記板（７０）を前記開位置（ＰＯ）と閉位置（ＰＦ）の間で手動で変位させることができる、装置（１０）。
【請求項１６】
請求項８から１２のいずれか一項に記載の装置（１０）において、前記ホールド装置の変位のための電動または磁気の自動式手段をさらに備える、装置（１０）。
【請求項１７】
請求項１６に記載の装置（１０）において、前記ホールド装置（６２）および前記接続器（８８）の変位を制御する電気作動装置（１１８）をさらに備える、装置（１０）。
【請求項１８】
請求項１７に記載の装置（１０）において、前記維持装置（６２）および前記接続器（８８）の変位が、伝動手段（１３２−１４４）が設けられた電気モータ（１１８）である前記同じ作動装置（１１８）によって制御され、前記伝動手段（１３２−１４４）は、前記電気モータ（１１８）、前記ホールド装置（６２）、および前記接続器（８８）を接続し、それにより、前記ホールド装置（６２）および前記接続器（８８）は、連動して駆動され、したがって、前記ホールド装置（６２）の後退位置（ＰＲ）では、前記接続器（８８）は接続解除され、延長位置（ＰＳ）では、前記接続器（８８）は接続される、装置（１０）。
【請求項１９】
請求項１８に記載の装置（１０）において、前記可動支持体（３０）が押し下げられた位置（ＰＥ）にあるときに電力供給されるように配置された前記作動装置（１１８）の制御手段（１３０）をさらに備える、装置（１０）。
【請求項２０】
請求項１９に記載の装置（１０）において、前記制御手段（１３０）が、前記可動支持体（３０）の位置のセンサを備える、装置（１０）。
【請求項２１】
請求項２０に記載の装置（１０）において、前記位置センサが、前記筺体（１１２）の底部に配置された電気接触器（１３０）であり、前記可動支持体（３０）が押し下げられた位置（ＰＥ）に到着したときに前記可動支持体（３０）によって作動される、装置（１０）。
【請求項２２】
請求項１７から２１のいずれ一項に記載の装置（１０）において、前記制御手段（１３０）が、前記可動支持体（３０）上の前記移動機器（Ａ）の存在の検出器をさらに備え、それにより、前記可動支持体（３０）の空の位置（ＰＬ）では、移動機器（Ａ）の存在が、前記可動支持体（３０）の押し下げられた位置（ＰＥ）に向かう自動式変位を引き起こす、装置（１０）。
【請求項２３】
請求項８から１３のいずれ一項に記載の装置（１０）において、前記第１の可動支持体（３０）と協働するように配置され前記主軸（Ｚ）に沿って並進して移動可能な第２の可動支持体（１４８）を備える機械的伝動手段が、さらに設けられ、前記第２の可動支持体（１４８）には、前記ホールド装置（６２）が前記長手方向軸（Ｘ）に沿って摺動式に配置される場所が設けられる、装置（１０）。
【請求項２４】
請求項２３に記載の装置（１０）において、前記機械的伝動手段が、前記第２の可動支持体（１４８）の前記主軸（Ｚ）に沿った変位を伝動し、前記ホールド装置（６２）の長手方向変位（Ｘ）に変換する棒クランクシステムをさらに備える、装置（１０）。
【請求項２５】
装飾計器盤（１４）および請求項１によって形成された装置（１０）が設けられた装備（１２）内に特定の型式（Ｍ１）の移動機器（Ａ）を設置するためのキット（６０）であって、
前記可動支持体（３０）上に嵌合することができ、移動機器（Ａ）の前記型式（Ｍ１）に特に適合された寸法を有する厚みアダプタ（３４）と、
前記筺体（２０）の前記開口部（１８）内に配置され固定されることが可能である周囲アダプタ（４４）であって、それ自体に、移動機器（Ａ）の前記型式（Ｍ１）の寸法（Ｌａ、Ｌｇ）特有の開口部（５８）が設けられた、周囲アダプタ（４４）とを備え、
それにより、前記型式（Ｍ１）の移動機器（Ａ）が、適所に置かれ、その正面（１６）は前記特有の開口部（５８）を全体的に塞ぎながら、前記装飾計器盤（１４）と表面連続状態にある、キット（６０）。
【発明の詳細な説明】
【技術分野】
【０００１】
本発明は、移動機器、携帯電話または「スマートフォン」タイプまたは電子タブレット装置を、たとえば車両の肘かけまたは中央コンソールであってもよい装備内に配置することに関する。より詳細には、この装置は、固定、電気接続および機器のネットワークへの接続によってもたらされる。
【背景技術】
【０００２】
タッチスクリーン付き携帯電話または「スマートフォン」タイプの移動機器を、たとえば自動車の座席の肘かけ、または中央コンソールなどのさまざまな装備内に設置することを可能にする装置が知られている。
【０００３】
仏国特許出願第１２５５６３４号は、移動機器の可視表面、一般的にはタッチスクリーンが、装備の表面と表面連続状態になる特定の配置を教示する。さらに、移動機器が取り外されたとき、カバーが自動的に適所に置かれて、移動装置を意図した空間を見えないようにする。この装置には、さらに、移動機器をその場所で適所に保持する手段が設けられ得る。
【０００４】
仏国特許出願第１３４３０４０号は、ホールド装置および移動機器の電気接続のための装置が設けられた装置を教示し、この２つの装置は、機器が適所に置かれた後、手動で作動され、機器を適所に正確に置くよう意図されたその複雑な操作が、車両運転者の注意を引き続け得る。
【０００５】
仏国特許出願第１３５５４２９号は、押し下げるだけで移動機器を接続し固定することを可能にする電動化および制御装置が設けられた装置を教示する。
【０００６】
この後者バージョンは、モータに電力供給する電気的接続に依存し続けている。
【発明の概要】
【課題を解決するための手段】
【０００７】
本発明は、特に自動車内の装飾計器盤を有する装備内に移動機器を装着するための装置を提案することによってこれらの問題を解決することが意図される。装飾計器盤には、移動機器を受け入れることができる筺体に接近できる開口部が設けられる。装置は、筺体の底部の固定された基部と、基部の近くにある押し下げられた位置と、基部から遠くにある空の位置との間で基部に対して変位可能である可動支持体とを備える。可動支持体は、移動機器を受け入れることができる主壁を有する。これはまた、保持装置も備え、この保持装置は、可動支持体を、その空の位置および押し下げられた位置に保ち、それにより、押し下げられた位置では、移動機器の正面は、開口部から出現し、装備の装飾計器盤と表面連続状態にあり、空の位置にある。可動支持体の主壁は、開口部から出現し、装備の装飾計器盤と表面連続状態にある。
【０００８】
装置は、さらに、可動支持体と基部の間に配置された弾性手段を備え、この弾性手段は、可動支持体を空の位置に向かって永続的に付勢する。
【０００９】
可動支持体は、移動機器の型式に左右されない汎用支持体と、移動機器の特定の型式特有の交換可能な厚みアダプタとを備える。厚みアダプタは、汎用支持体上に配置され、その厚みは、移動機器の厚みに応じて選択され、それにより、押し下げられた位置では、前記型式の移動機器の正面は、装飾計器盤と表面連続状態にある。
【００１０】
装置は、さらに、移動機器の特定の型式特有の交換可能な周囲アダプタを備える。周囲アダプタは、筺体の開口部内に配置され固定され、それ自体に、移動機器の型式の寸法特有の開口部が設けられる。移動機器Ａが適所に置かれた状態で、その正面は、特有の開口部を全体的に塞ぎながら、装備の装飾計器盤と表面連続状態にある。
【００１１】
保持装置は、カムおよび指部を備え、カムは、可動支持体または基部に取り付けられ、指部は、基部または可動支持体それぞれに取り付けられる。カムおよび指部は、カムおよび指部の決定された相対位置において、可動支持体が押し下げられた位置に保持されるように協働又は共働する。
【００１２】
保持装置は、可動支持体を空の位置に保持するように、装飾計器盤に取り付けられた当接表面と協働又は共働する、可動支持体に取り付けられた停止部を備える。
【００１３】
可動支持体の主壁は、分離可能および交換可能な装飾カバーを含む。
【００１４】
装置は、さらに、移動機器をその場所で適所に維持するための装置を備える。
【００１５】
装置は、移動機器が中に置かれ得る、またはその場所から後退され得る開位置と、移動機器がその場所で適所に維持される閉位置との間で変位可能な板を備える。
【００１６】
ホールド装置には、弾性手段が設けられ、この弾性手段は、板の閉位置において、移動機器Ａが適所に維持されるように移動機器に力をかける。
【００１７】
装置は、さらに、板上に配置された第２の弾性手段を備え、それにより、板の閉位置において、弾性手段は、移動機器に同時作用の力をかけ、この同時作用の力は、その隅部において、移動機器の位置をその場所に調整するようにかけられる。
【００１８】
装置は、さらに、移動機器に取り付けられた電気接続器を備え、それにより、機器は、再充電され、他の電子装置を備える電子ネットワークに接続され得る。接続器は、板上に配置され、それにより、開位置では、接続器は移動機器から遠くにあり、閉位置では、接続器は、移動機器に向かって移動され、移動機器に相補的に接続される。
【００１９】
装置は、さらに、カムトラックを備え、このカムトラックに対して、カム従動子が永続的に付勢され、前記トラック、前記従動子は、相互に板に取り付けられ、その一方で従動子、トラックは、相互に装備に取り付けられ、従動子は、カムトラックに沿って、板が開位置にあるときに到達される第１の位置と、板が閉位置にあるときに到達される第２の位置との間を進行し、カムトラックには、少なくとも１つの位置決め切欠部が設けられ、この位置決め切欠部内では、従動子は、前記閉位置を安定化するように板の閉位置に係合される。
【００２０】
装置は、さらに、板に取り付けられた把持手段を備え、それにより、ユーザは、板を開位置と閉位置の間で手動で変位させることができる。
【００２１】
装置は、さらに、ホールド装置の変位のための自動式の電動または磁気の手段を備える。
【００２２】
装置は、さらに、ホールド装置および接続器の変位を制御する電気作動装置を備える。
【００２３】
ホールド装置および接続器の変位は、伝動手段が設けられた電気モータである同じ作動装置によって制御され、この伝動手段は、前記電気モータ、ホールド装置、および接続器を接続し、それにより、ホールド装置および接続器は、連動して駆動され、したがって、ホールド装置の後退位置では、接続器は接続解除され、延長位置では、接続器は接続される。
【００２４】
装置は、さらに、可動支持体が押し下げられた位置にあるときに電力供給されるように構成された作動装置を制御するための手段を備える。制御手段は、可動支持体の位置センサを備える。位置センサは、筺体の底部に配置された電気接触器であり、可動支持体が押し下げられた位置に到着したときに可動支持体によって作動される。
【００２５】
制御手段は、さらに、可動支持体上の移動機器の存在の検出器を備え、それにより、可動支持体の空の位置では、移動機器の存在が、可動支持体の押し下げられた位置に向かう自動式変位を引き起こす。
【００２６】
装置は、代替として、主軸に沿って並進して移動可能であり、第１の可動支持体と協働又は共働するように配置された第２の支持体を備える機械的伝動手段を備えることができ、第２の可動支持体には、ホールド装置が長手方向軸に沿って摺動式に配置される場所が設けられる。
【００２７】
機械的伝動手段は、さらに、第２の可動支持体の主軸に沿った変位を伝動し、ホールド装置の長手方向変位に変換する棒クランクシステムを備える。
【００２８】
本発明はまた、装飾計器盤および請求項によって形成された装置が設けられた装備内に特定の型式の移動機器を設置するためのキットにも関する。キットは、可動支持体上に配置され得る厚みアダプタであって、移動機器の型式に特に適合された寸法を有する、厚みアダプタと、筺体の開口部内に配置され固定されることが可能である周囲アダプタであって、それ自体に、移動機器の型式の寸法特有の開口部が設けられた、周囲アダプタとを備える。
【００２９】
本発明の他の特性、目的、および利点が、以下の詳細な説明を読み取り、非限定的な例として与えられた添付された図を参照することにより、明白になるであろう。
【図面の簡単な説明】
【００３０】
【図１】電話タイプの移動機器が、中央肘かけ内にそれ自体が配置された装備体内に配置され、例として、タブレットタイプの別の移動機器がコンソールの正面にある、車両の内部の全体図である。
【図２】移動機器が適所に置かれた、図１の肘かけの端部の拡大詳細図である。
【図３】移動機器が取り外された、図２に類似する図である。
【図４】図１の装置の分解図である。
【図５】第１の型式の移動機器が中に配置された、図１の装置の断面図である。
【図６】移動機器が取り外された、図５に類似する図である。
【図７】図５に類似するが、詳細には、図３の第１の型式のものより薄く、幅が小さい第２の型式の移動機器に適合される断面図である。
【図８】移動機器が取り外された、図７に類似する図である。
【図９】指部によって進行されるハート形状のトラックが設けられたカムの詳細斜視図であり、これらの２つの要素は、図４の装置内に示される。
【図１０】図９のハート形状のカムおよび指部の作動を示す図である。
【図１１】図９のハート形状のカムおよび指部の作動を示す図である。
【図１２】図９のハート形状のカムおよび指部の作動を示す図である。
【図１３】図９のハート形状のカムおよび指部の作動を示す図である。
【図１４】図９のハート形状のカムおよび指部の作動を示す図である。
【図１５】機器を筺体内に維持し接続するための装置の実施形態を示す図である。
【図１６】機器を筺体内に維持し接続するための装置の実施形態を示す図である。
【図１９】機器を維持し接続するための電動装置の実施形態を示す図である。
【図２０】機器を維持し接続するための電動装置の実施形態を示す図である。
【図２１】機器を維持し接続するための電動装置の実施形態を示す図である。
【図２２】機器を維持し接続するための電動装置の実施形態を示す図である。
【図２３】機器を維持し接続するための電動装置の実施形態を示す図である。
【図２４】機器を維持し接続するための電動装置の実施形態を示す図である。
【図２５】機器を維持し接続するための電動装置の実施形態を示す図である。
【図２６】機器を維持し接続するための電動装置の実施形態を示す図である。
【図２７】機器を維持し接続するための電動装置の実施形態を示す図である。
【図２８】機器を維持し接続するための電動装置の実施形態を示す図である。
【図２９】機器を維持し接続するための電動装置の実施形態を示す図である。
【図３０】機器を維持し接続するための電動装置の実施形態を示す図である。
【図３１】機器を維持し接続するための手動装置を示す図である。
【図３２】機器を維持し接続するための手動装置を示す図である。
【図３３】機器を維持し接続するための手動装置を示す図である。
【図３４】機器を維持し接続するための手動装置を示す図である。
【発明を実施するための形態】
【００３１】
本説明の以後の部分においては、同一または類似の要素は、同じ参照番号で指定される。
【００３２】
図１は、車の運転位置を示し、その中央肘かけにおいて、装置１０は、移動機器Ａの装備１２内の組み込みを可能にする。機器Ａは、ほぼ矩形であり、その長さは長手方向軸Ｘに沿って配向され、正面１６は、主軸Ｚに対して垂直である。横断軸Ｙは、デカルト座標系を完成し、移動機器の幅は、この軸に沿って位置合わせされる。例として、図では、電子タブレットタイプの、より大きいサイズの移動機器もまた、準鉛直方向位置に置かれる。以下に続く説明は、水平機器のものに基づくが、鉛直機器への転置も即対応する。
【００３３】
本発明の目的は、自動車環境には限定されず、装置１０は、肘かけ椅子の肘かけ、ハンドルの中央部、ダッシュボードまたは任意の他の装備、移動機器が設置され得る場所が利用可能であれば、それがどのようなものであろうと完全に適することができる。
【００３４】
移動機器は、従来、わずかに曲線状の隅部を備えた平行六面体の矩形であるが、本発明をこの形状に限定することはなく、これは、本説明の例として使用される。本説明では、正面１６の小さい方の寸法を幅Ｌａ、正面１６の大きい方の寸法を長さＬｇ、機器Ａの正面１６から後部までの寸法を厚みｅｐ１として参照される。
【００３５】
最後に、さらに明確にし簡易化するために、主軸Ｚに沿った底部から上部の配向が採用される。したがって、用語「底部」、「上部」、「上方」、「下方」、「上側」、「下側」、および「水平」および「垂直」は、それによって本発明を限定することなく、特に、移動機器の装備内の組み込みの複数の可能性を考慮に入れて本説明において使用され得る。
【００３６】
図２および３に示されるように、機器Ａは、装飾計器盤１４が設けられた、図１の肘かけ内でさまざまな形で配向され得る。
【００３７】
装置１０の要素が、次に、図４を参照して説明される。
【００３８】
装備１２には、中空筺体２０に接近できる矩形開口部１８が設けられる。本発明の教示は、任意の他の対応する形状、特に円形、楕円形または他の機器に適用され得ることは明らかである。
【００３９】
基部２２が、筺体２０の底部に固定される。図示される基部２２は、これを開口部１８に通すことによって設置され得る。筺体２０の底部になった後、図４では４つの舌部が、基部２２から弾性的に伸び、筺体２０の周囲壁内においてそれら自体筺体内に配置される。筺体の底部にねじによって固定された基部などの他の装置が可能である。基部２２には、２つの圧縮ばね２４と、揺りアームの端部に装着された指部２６と、制動器２８とが設けられる。代替として、他の弾性手段が、使用され得る。
【００４０】
それ自体にカム３２が設けられた可動支持体３０は、基部２２上に嵌合し、ばね２４を圧縮し、制動器２８上に着座する。好ましいが、それだけではない実施形態では、カム３２は、指部２６を中に嵌合させるハート形状のトラックを画定するカムである。カムおよび指部は、以下で説明され、図９から１４によって示される。さらに、図４では、可動支持体３０およびカム３２は、２つの別個の部分であるが、組み立てられた後、これら同士は取り付けられる。可動支持体およびカムの一体品として作製された一体化構造が、当然ながら可能である。
【００４１】
厚みアダプタ３４が、可動支持体３０上に配置される。厚みアダプタ３４は、側壁に沿って垂直に境界付けられた厚みｅｐ２の主壁３６を有する。適所になった後、厚みアダプタ３４は、可動支持体３０上に着座し、これを覆う。主壁３６は、上記で説明された限定的形状ではなく矩形であり、中央ゾーン４２に対して厚みにおいてわずかに合欠きされた狭小周囲部４０によって境界付けられる。中央ゾーン４２は、設置される移動機器Ａの寸法Ｌａ×Ｌｇを有する。
【００４２】
その主要寸法Ｌａ×Ｌｇが、機器Ａおよび中央ゾーン４２の寸法でもある、小さい厚みｅｐ３の矩形の装飾カバー３８が、厚みアダプタ３４の中央ゾーン４２上に配置され固定される。
【００４３】
周囲アダプタ４４が、筺体２０の開口部１８内に配置され保持される。周囲アダプタ４４は、矩形冠の形態を有し、その外部の側縁４６および内部の側壁４８は、内部的および外部的にわずかに重複する水平上面５０によって連結される。外部側壁４６は、開口部１８のものに合致する寸法を有し、それにより、この部分の相補的な係合がもたらされる。内部側壁４８は、厚みアダプタ３４のものに合致する寸法を有し、それにより、後者は、損傷無しに変位され得る。
【００４４】
図５から８においてより容易に見られるように、周囲アダプタ４４は、相補的な装置内の開口部１８内で適所に置かれる。上面５０の外部重複部５２は、装飾計器盤１４内のわずかな合欠き部５４に完全に嵌合し、このわずかな合欠き部５４は、開口部１８の円周を境界付ける。この相補的な係合は、周囲アダプタ４４が、開口部１８内に正確に配置され、上面５０がこのとき、装飾計器盤１４と表面連続状態にあることを確実にする。さらに、周囲アダプタ４４および上面５０の内部重複部５６は、その開口部１８を特有の開口部５８に制限し、この特有の開口部の寸法は、移動機器ＡのＬａ、Ｌｇ、装飾カバー３８、および厚みアダプタ３４の主壁３６の中央ゾーン４２のものである。
【００４５】
システムの作動が、次に、図５から８を参照して説明される。
【００４６】
図５および６は、スマートフォンＡの第１の型式Ｍ１用に特に設計された装置１０を示す。この第１の型式Ｍ１は、図７および８を示すために選択された第２の型式Ｍ２と、異なる幅および厚さによって区別される。作動は同一のままである。
【００４７】
これらの図は、特に、外部重複部５２が装飾計器盤１４のわずかな合欠き部５４内にある相補的な装置によって、周囲アダプタ４４を開口部１８内に装着することを示す。装置１０は、装飾カバー３８、厚みアダプタ３４、可動支持体３０、圧縮ばね２４、および基部２２の積層体を備える。こうして装着された装飾カバー３８、厚みアダプタ３４、および可動支持体３０は、主軸Ｚに沿って変位され得る。
【００４８】
図５および７は、押し下げられた位置Ｐ１に対応する。移動機器Ａは適所にあり、ばね２４は圧縮され、可動支持体３０は基部２２の近くにある。
【００４９】
図６および８は、空の位置Ｐ２に対応する。移動機器Ａは取り外され、ばね２４は以前ほど圧縮されておらず、可動支持体３０は、基部２２から遠くにある。
【００５０】
図５および７では、機器Ａは、装飾カバー３８上の適所にある。機器Ａの正面１６は、周囲アダプタ４４の特有の開口部５８から出現し、これを全体的に塞ぐ。正面１６は、装備１２の装飾計器盤１４および周囲アダプタ４４の上面５０と表面連続状態にある。
【００５１】
図６および８では、機器Ａは取り外される。装飾カバー３８は、周囲アダプタ４４の特有の開口部５８から出現し、これを完全に塞ぐ。これは、装備１２の装飾計器盤１４および周囲アダプタ４４の上面５０と表面連続状態にある。
【００５２】
図５および７では、この組立体は、ハート形状のカム３２および指部２６によってこの押し下げられた位置Ｐ１に維持される。このタイプの機構は知られており、その作動が、次に、図９から１４を参照して簡潔に説明される。他の装置が、可動支持体３０の位置を固定するために存在する。
【００５３】
カム３２には、指部２６をそれに沿って進行させるハート形状のトラックが設けられ、それにより、空の位置Ｐ２では、指部は、ハートの底部凸状地点Ｌ１にある。
【００５４】
移動機器Ａを適所に置くために、装置が空の位置Ｐ２にある状態で−図１０−、ユーザは、機器Ａを装飾カバー３８上に置き、前部ほつれ１６を、図１１の矢印の方向に主軸Ｚに沿って押さえ付ける。可動支持体３０およびカム３２は変位され、指部２６は、次いで、外方向トラックＣＡに沿って進行し、ハートの第１の突出部の上部にある第１の天頂位置Ｌ２を通過する。機器Ａは、次いで、筺体２０内に全体的に入れられ、その正面１６は、装飾計器盤１４に対して押し下げられる。制動器２８は、ユーザが機器Ａを少し激しく押さえた場合の急な衝撃を防止するために基部上に置かれる。次いで、ユーザは圧力を解除し、ばね２４によって付勢された状態で、可動支持体３０は、再度上昇し−図１２−、指部２６は、これが突出部Ｌ３間の凹状地点内に移動するまで外方向トラックＣＡに沿ってたどり、次いで、可動支持体３０を押し下げられた位置Ｐ１に保持する。
【００５５】
機器Ａを取り外すために、主軸Ｚに沿った図１３の矢印方向の、正面１６上の圧力は、可動支持体３０を再度押し下げ、指部２６は、次いで、戻りトラックＣＲに沿って、突出部Ｌ３間の凹状地点から、ハートの第２の突出部の上部にある第２の天頂位置Ｌ４まで変位される。機器Ａは、次いで、全体的に筺体２０内に再度入れられ、その正面１６は、装飾計器盤１４に対して押し下げられる。ここでは、制動器２８はここでも、かなり急な圧力の影響を軽減することができる。その後−図１４−、ユーザは、かけられた圧力を解放し、ばね２４に付勢されている状態で、可動支持体３０は、周囲アダプタ３４の周辺部４０が、周囲アダプタ４４の上面５０の内部重複部５６の下方で当接するまで再度上昇する。指部２６は、これが、ハートの凸状底部地点Ｌ１に再度戻るまで戻りトラックＣＲを辿った。可動支持体３０は、次いで、空の位置Ｐ２に維持され、機器Ａは、容易に取り外され得る。
【００５６】
スマートフォンの型式Ｍ１−図５−は、型式Ｍ２−図７より厚みがある。したがって、各型式では、特有の厚みアダプタ３４が、機器のものｅｐ１を補償する厚みｅｐ２に対応し、押し下げられた位置Ｐ１において、正面１６が、装飾計器盤１４と表面連続状態にあることを確実にする。
【００５７】
同様に、スマートフォン図５−の型式Ｍ１は、型式Ｍ２−図７より小さい幅Ｌａである。したがって、各型式では、特有の周囲アダプタ４４は、対応する型式の正面１６の寸法に正確に対応する特有の開口部５８に対応し、それにより、押し下げられた位置Ｐ１では、機器Ａの正面１６は、特有の開口部５８を完全に塞ぐ。
【００５８】
空の位置Ｐ２では、装飾計器盤１４と装飾カバー３８の間の表面連続性が望ましい。これを得るために、内部重複部５６の厚みは、装飾カバー３８のものに等しくなければならない。代替として、装置の寸法積み重ねを考慮に入れて、他の構造が選択され得る。
【００５９】
この説明のいくつかの場所において、等しい寸法を有する部分の相補的な係合が言及される。たとえば、正面１６または装飾カバー３８は、特有の開口部５８を塞ぐ。図１の肘かけ内の装置は、移動機器Ａを準水平に位置決めする。機器は、このとき、筺体２０内で適所に自然に維持される。これは、たとえば、道路の隆起、尾根部、またはこぶ、くぼみ、あらゆる種類の凹凸部上を通過することによる偶発的な外れを防止するために依然として重要である。この目的を達成するために、特有の開口部５８の寸法は、移動機器Ａの正面１６が、内部重複部５６間にわずかに挟まるように調整される。他方では、装飾カバー３８が厚みアダプタ３４上に固定されると、これは、偶発的な外れの危険を有さず、このときそれ自体の寸法は、装飾カバー３８と特有の開口部５８の間に非常にわずかな遊びを維持するように選択される。
【００６０】
当業者は、この寸法を、わずかな挟まりおよびわずかな遊びが、装置の適正な機能を減じないように選択することができる。
【００６１】
特有の開口部５８内の正面１６のわずかな挟まりは、筺体２０内の移動機器Ａの維持手段６２の第１の実施形態である。この第１の実施形態が十分であると考えられない場合、たとえば、ハンドルの中心部内の垂直組み込み、または正面１６を下方向に配向した「逆さ（ｈｅａｄ−ｄｏｗｎ）」組み込みの場合、追加の維持手段６２が設けられ得る。この追加の維持手段６２は、さまざまな実施形態に従って形成されてよく、特に、移動機器を適所に配置すること、したがって可動支持体３０を押し下げることを用いて、周囲アダプタ４４の内部側壁４８と移動機器Ａの側部の間に嵌合する横方向摩擦パッドの傾斜を作動させる。パッドの傾斜は、ばねまたは別のものを用いて引き起こされる圧縮による挟まりによって置き換えられる。締め金もまた、プライヤの対の顎部のように、移動機器の側部で閉じることができる。装置は、機器を取り囲み、保持するようにも設計され得る。それがどのようなものになろうと、追加の維持手段６２は、表面の連続性の外観を保持するためにユーザに見えてはならない。
【００６２】
また、本説明は、移動機器Ａの寸法が、隅部の可能な曲線部を含むことを明記しない。したがって、特有の開口部５８は矩形であるが、移動機器の型式がそのように形成される場合、曲線状の隅部がこの開口部５８に設けられ得る。
【００６３】
構造の最も汎用的な実施形態が、説明されてきた。代替的実施形態もまた、本発明の教示に従って形成され得る。
【００６４】
構造の第２の実施形態によれば、装飾カバー３８は、厚みアダプタ３４との一体品として形成される。この場合、空の位置Ｐ２では、厚みアダプタ３４の主壁３６は、装飾計器盤１４から出現し、これと表面連続状態にある。この第２の実施形態によれば、厚みアダプタ３４の取り換えは、たとえば、装置１０の審美性を装飾計器盤１４に適合させるために必要である。
【００６５】
移動機器Ａの単一の型式用に特に設計された構造の第３の実施形態では、厚みアダプタおよび周囲アダプタは解消され、装飾カバー３８は、可動支持体３０上に直接的に固定され、またはさらにこれとの一体品として作製され、装飾計器盤１４内に形成された開口部１８は、スマートフォンの前記型式の特有の寸法を直接的に有する。
【００６６】
最も汎用的な第１の実施形態に類似する、構造の第４の実施形態では、周囲アダプタ４４は、機器Ａを縦位置または横位置に置くために開口部内に２つの垂直方向に配置され得る。これを達成するために、筺体２０の開口部１８は、正方形断面のものになることができ、周囲アダプタ４４の外部側壁４６は、相補的な正方形を形成する。特有の開口部５８は、正面１６の寸法を有する矩形のままである。他の適合、特に厚みアダプタ３４のものは、当業者の範囲に留まる。
【００６７】
構造の第５の実施形態では、正面１６の任意の角度位置決めが意図されるとき、筺体２０の開口部１８は、円形になることができ、周囲アダプタ４４は、相補的な円形の外部壁を有することができる一方で、特有の開口部５８は、機器Ａの正面１６の寸法を備えた矩形のままである。他の適合、特に厚みアダプタ３４のものは、当業者の範囲内に留まる。
【００６８】
移動機器Ａの所与の型式特有の部分である厚みアダプタ、周囲アダプタ、および装飾カバーは、別個に提供される特有のキットの物品になることができる。機器Ａの変更時、これは、そのとき、新しい機器に対応するキットを得るために新しい機器を装備１２内に組み込んで、厚みアダプタ３４、周囲アダプタ４４、および装飾カバー３８を取り換えるだけで十分である。同様に、装飾カバーは、消耗したカバーを取り換える、または装置１０を新しい装飾計器盤１４に合致させるために、別個のキットとして単独で供給され得る。
【００６９】
ホールド装置６２の実施形態が、次に、図１５から１８を参照して説明される。装置６２は、以下に説明される別の隠蔽手段６８のすぐ上方を鉛直方向に突起する舌部６６を用いることによって手動で作動される。
【００７０】
ホールド装置６２は、平坦でほぼ矩形の板７０を備え、その長い辺７２は、移動機器Ａの幅の寸法のものである。板７０は、水平に配置され、長手方向軸Ｘに沿って並進して変位可能である。舌部６６は、板７０に取り付けられ、そこから垂直に延びる。移動機器Ａの最も近くに位置する板７０の２つの隅部７８内では、板７０に、２つの筺体８０が設けられ、その各々内には、右に傾斜した台形の形態のこう配付きのブロック８４を長手方向Ｘに付勢する圧縮されたばね８２が配置され、ブロック８４の２つの斜面側８６は、移動機器Ａの曲線状の隅部にあたるように配向される。代替として、輪郭付けられた板ばねが設けられることが可能であり、これは、板に近付くことで、移動機器Ａまたはゴム封止部と接触する。
【００７１】
移動機器Ａに最も近い板７０の長い辺７２の中心には、雄型電気接続器８８が配置される。この接続器８８は移動機器Ａの雌型接続器内に係合されるという目的を有するので、雄型接続器８８の板７０上の形態およびまさにその場所は、選択された移動機器Ａの形態によって左右され、偏心雌型接続器を有する移動機器Ａの場合、対応する雄型接続器８８は、それに対応して板７０の側に配置される。電気接続器８８はそれ自体、移動機器Ａに電気の再充電および機能の組へのアクセスの両方をもたらすために、図示されないケーブルによって電源回路および車両のコンピュータネットワークに接続される。
【００７２】
最後に、板７０の中心には、舌部６６および前記他の隠蔽手段６８が配置される。舌部６６は、横断方向Ｙに延びる平行６面体ブロック９０の一部であり、この平行６面体ブロック９０は、板７０内の相補的開口部内に係合するつまみ内で終端する２つの脚部を用いて板７０に取り付けられる。板７０とブロック９０の間には、細い通路が形成され、その通路内には、装置１０に取り付けられ、横断方向軸Ｙの周りで回転する２つのローラ９４間に伸張される連続帯９２が通る。帯９２には、舌部６６をそこから突起させる小さい長穴が設けられる。こうして配置されているとき、ユーザは、舌部６６上に作用を及ぼすことによって板７０を変位させることができ、それにより、ユーザが舌部６６を押し出したとき、帯９２はローラ９４の周りで回転し、ブロック９０は変位され、板７０を駆動する。帯９２は、これが回転するとき、前記舌部６６の変位に必要な開口部を連続的に隠す。他の手段が、たとえば、舌部を解消し、帯上に直接的に作用させることによって開発され得る。これは、ユーザによってかけられた圧力の下で、わずかに変形され、平行６面体のブロック９０と接触し、この平行６面体のブロック９０は、変位され、板７０を駆動する。類似のやり方では、帯は動くことができず、またはブロックの上面に任意のやり方で固定されることが可能であり、それにより、変形することなく、帯の駆動は、ブロック９０および板７０を変位させる。
【００７３】
図１７および１８に特に見られ得るように、板７０は、下面７６上にカムトラック９６が設けられ、このカムトラック９６に対して、鉛直方向ばね１００によって押し出される従動子指部９８が付勢される。代替として、別の類似の装置が、たとえば指部を玉軸受または板ばねに置き換えることによって使用され得る。カムトラック９６は、さらに、一方の端部に、閉鎖切欠部１０２が設けられる。こうして配置されるとき、板７０が開位置ＰＯ−図１７−にあるとき、これは移動機器Ａから遠くにあり、電気接続器８８は、機器Ａから係合解除され、従動子指部９８は、カムトラック９６の端部にある。板７０を舌部６６を用いて変位させるには、ユーザは、舌部を長手方向軸Ｘに沿って押し出さなければならず、それにより、カムトラック９６は、変位され、従動子指部９８によってそれに沿って進行される。板７０が閉位置ＰＦに近付く進行の限界点では、電気接続器８８は、機器Ａの接続器内に相補的に係合し、こう配付きブロック８４は、機器Ａの曲線状の角度と接触し、これをその筺体２０内に固定するように押さえ、従動子指部は、閉鎖切欠部１０２内に移動され、したがってさらに切欠部１０２内に係合することによって前記閉位置を固定し、指部９８は、ユーザにわずかな力を伝動し、この力は、不快ではなく、かつ接続が適正になされたことをユーザに保証するものである。図１７および１８に示されるように、カムトラック９６は、ユーザがこうして力を感知するように輪郭付けられ、カムトラック９６は、閉鎖方向では、ユーザは、力の増大に打ち勝つ必要があり、その後指部９８の切欠部１０２内の係合時にわずかな「クリック」が続き、他方で開放方向では、ユーザは、指部９８を切欠部１０２から係合解除させるのに必要な力を与えるだけでよいように傾けられ、カムトラック９６上の指部９８の作用は、このとき、板が開位置ＰＯになるまで駆動している。さらに、図示されないが、カムトラックには、指部９８が、板７０の開位置ＰＯに係合される開放切欠部が設けられ得る。
【００７４】
カムトラック９６、開放切欠部、および閉鎖切欠部の輪郭は、相補的な規則を有する。開位置ＰＯおよび閉位置ＰＦが、安定した位置であることが有用である。図１７および１８によれば、この安定性は、閉位置ＰＦでは、指部９８が閉鎖切欠部１０２内に係合することによって、開位置ＰＯでは、一方では、指部９８がそれに対して当接するカムトラック９６の端部によって、他方では、カムトラック９６の斜面によってもたらされる。開位置ＰＯの例に従い、カムトラックは、図１７および１８の開口部のような２つの停止部によって終端される、非常に開かれた曲線状のＶを備えたＶ形状として設計され得る。
【００７５】
上記で説明された手動変位手段は、たとえば電動または磁気の自動式手段によって置き換えられ得る。
【００７６】
上記で説明されたキット６０はまた、上記で説明された維持および接続の装置を備えることもできる。
【００７７】
電動装置の特定の実施形態が、次に、図１９から３０を参照して説明される。
【００７８】
この実施形態によれば、装備１２には、肘かけと連動した装飾計器盤１４が設けられる。装備１２の開口部１８は、移動機器Ａが中に置かれ得る平行６面体の筺体２０に接近できる。可動支持体３０は筺体２０内に配置され、そこで、上面１０４が開口部１８から出現し、移動機器Ａが、上部表面１０４上に置かれている状態の図１９にあるような空の位置ＰＬと、押し下げられた位置ＰＥ−図２０との間で鉛直方向Ｚに変位され得る。可動支持体３０はそれ自体平行６面体であり、これは、ほぼ開口部１８のものである寸法を有する上面１０４と、反対側の下面１０６とを備え、この面１０４、１０６は、４つ側壁１０８によって連結される。筺体２０の下面１０６と底部１１２の間に配置された、ばね１１０、または代替として任意の他の弾性手段は、可動支持体を、空の位置ＰＬに向かって永続的に付勢する。説明された実施形態では、ばね１１０は、筺体の底部内に設けられた中空場所によって適所に維持される。可動支持体３０には、さらに、係止切欠部１２８が設けられ、この係止切欠部１２８は、図１９の右に示される横断方向の側壁１０８の厚みそれ自体内で横断方向Ｙに延びる。反対側の側壁、図１９の「左」壁には、その下側部分内に、開口部１８のへりとの相補的係合を可能にする拡張部が設けられる。この係合は、空の位置ＰＬにおいて、可動支持体３０が前記場所に対して当接することを可能にし、ばね１１０によって鉛直方向Ｚに付勢されるが、これは静止したままであり、上面１０４は開口部１８から出現する。
【００７９】
筺体２０の右幅の近傍において、装備１２には、ホールド装置６２と、移動機器Ａの型式に適合された電気接続器８８とが装備された、上記で説明された板７０が中に配置される、制御空間１１４が設けられる。さらに、位置決めボルト１１６、電気モータ１１８、および伝動手段が、図２９および３０を参照して詳細に説明される。
【００８０】
図１９に提示されるように、装備１２は、制御空間１１４内に、ホールド装置６２および電気接続器８８が中に配置された上部筺体１２０と、ボルト１１６が中に配置された底部筺体１２２とを備える。可動支持体３０が空の位置ＰＬ−図１９−にあるとき、上部筺体１２０は、係止切欠部１２４に面しており、このいずれも同じ高さＨを有し、その高さは、鉛直方向軸Ｚに沿って測定される。
【００８１】
上部筺体１２０内では、ホールド装置６２および接続器８８は板７０に取り付けられ、したがって一緒になって装備された板１２６を形成し、鉛直方向軸Ｚに沿って測定されたその厚さＥは、上部筺体１２０の高さＨより明白に小さい。相対的な摺動および変位を容易にする先端部が設けられた別のばね１２８が、装備された板１２６の下方に配置され、これを、上部筺体１２０の「天井」とも呼ばれる上部筺体１２０の上部に向かって永続的に鉛直方向Ｚに付勢する。
【００８２】
さらにより詳細に説明されるように、装備された板１２６は、上部筺体１２０内で移動可能であり、長手方向Ｘおよび鉛直方向Ｚに変位され得る。
【００８３】
ボルト１１６としては、底部筺体１２２の厚み内で摺動するように調整され、そこでは長手方向軸Ｘに沿ってしか変位され得ない。
【００８４】
図１９などによる可動支持体３０の空の位置ＰＬでは、装備された板１２６は、後退位置ＰＲにおいて、全体的に上部筺体１２０の内側かつ上部にある。ボルト１１６もまた、後退位置ＰＲでは、全体的に底部筺体の内側にある。図１９に観察されるように、ボルト１１６は、筺体２０の右壁と同一平面であるが、装備された板１２６は、前記壁から奥まっている。色付けから、ボルト１１６は、装備された板１２６より「前進される」ように表される。
【００８５】
装備された板１２６およびボルト１１６の長手方向の変位Ｘは、電気モータ１１８によって電動化され、この電気モータ１１８は、とりわけ、電気接触器１３０を備える制御手段を有する。図１９の実施形態では、接触器１３０は、筺体２０の底部に配置された電子回路板上に配置され、それにより、可動支持体３０が鉛直方向Ｚに押し下げられた位置ＰＥまで降下したとき、その下面１０６が、電気的な切り替えを行う接触器１３０を作動させる。
【００８６】
取り付けのステップが、次に、図１９から２３を参照して説明される。
【００８７】
図１９によれば、移動機器Ａは、空の位置ＰＬにある可動支持体３０の上面１０４上に置かれる。ばね１１０によって上方向に鉛直方向に押し出された前記上面１０４は、装飾計器盤１４と同一平面である。移動機器Ａは、したがって、筺体２０の外側にある。係止切欠部１２４は、上部筺体１２０に面する。装備された板１２６およびボルト１１６は、いずれも、位置ＰＲでは、そのそれぞれの筺体の内側に後退される。特に、他のばね１２８によって鉛直方向に付勢された、装備された板１２６は、上部筺体１２０の「天井」まで上がっている。
【００８８】
図２０によれば、近付いてきた指は、このとき、機器Ａと接触しており、機器Ａを筺体２０に入れるために矢印Ｆの方向に押さえる。可動支持体３０の下面１０６は、次いで、切り替えを行う電気接触器１３０と接触する。可動支持体３０は、押し下げられた位置ＰＥにある。装備された板１２６およびボルト１１６は、後退位置ＰＲのままである。係止切欠部１２４は、下げられ、ボルト１１６に面する。接触器１３０が押さえられているとき、モータ１１８は対応する情報を受け取り、回転し始める。
【００８９】
図２１によれば、接触器１３０が切り替えられたために電力供給されたモータ１１８は、回転し始め、それにより、装備された板１２６およびボルト１１６は、いずれも長手方向Ｘに前進し始める。ボルト１１６は装備された板１２６よりわずかにより前進されているため、ボルト１１６は、長手方向の変位Ｘの最初から、係止切欠部１２４内に係合し、その間装備された板１２６は、全体的に、依然として上部筺体１２０内にある。表現「わずかな前進」は、ボルト１１６が、板１２６より移動支持体３０に近いという意味において解釈される。ボルト１１６のこの係合地点において、モータ１１８は停止および続行し、図２２によれば、ユーザが機器Ａ上の動作を止めたとき、機器Ａは、ばね１１０の影響下でわずかに鉛直方向Ｚに上昇して戻るが、ボルト１１６は係止切欠部１２４内に部分的に係合され、これは、前記切欠部１２４の底壁１４６と接触し始め、そのため、可動支持体３０を、その下面１０６がもはや接触器１３０と接触せず、移動機器Ａのスクリーンが、開口部１８から出現するように保持する。この位置では、接続器８８は、移動機器Ａの雌型接続器に面しており、可動支持体３０は、もはや、切り替えをここでも行う接触器１３０を押さえ付けず、図２３によれば、可動支持体３０が次いでボルト１１６によって保持された状態で、モータ１１８は、再度回転し始め、装備された板１２６およびボルト１１６は、その長手方向変位Ｘを続行する。ボルト１１６は、こうして、係止切欠部１２４内のその完全な係合を続行し、依然として上部筺体１２０の「天井」にある装備された板１２６は、機器Ａ内でその係合を続行し、それにより、雄型接続器８８は、移動機器Ａの雌型接続器内に差し込まれ、移動機器Ａは、こうして、その電池の再充電および車両の電子ネットワークとの接続のために接続される。装備された板１２６およびボルト１１６は、延長された位置ＰＳにある。図２３の位置は、装備１２内に設置された移動機器Ａの使用位置ＰＵである。
【００９０】
図２４から２８は、移動機器Ａを装備１２から取り外すために従われるステップを示す。
【００９１】
図２４によれば、ユーザは、再度、移動機器Ａを押さえ付け、それによって、押し下げられた位置ＰＥへの戻りに対応するばね１１０の圧縮を行いながら、可動支持体３０の下面１０６が接触器１３０を押さえ付け、これを切り替えさせるまで機器Ａおよび可動支持体３０を鉛直方向Ｚに押し下げる効果を与える。この鉛直方向Ｚの変位はまた、接続器８８が機器Ａ内に依然として差し込まれている装備された板１２６を移動させている。これを行う上で、板１２６は、上部筺体１２０の天井から外方に移動しており、他のばね１２８を圧縮している。ボルト１１６としては、係止切欠部１２４のほぼ中間にある。接触器１３０が切り替えられたとき、電気モータ１１８は再度電力供給され、以前とは逆方向に回転し始める。図２９および３０の構成では、モータ１１８は、逆転することなく、同じ方向に永続的に回転できることが以下に示される。
【００９２】
図２５によれば、可動支持体は、押し下げられた位置ＰＥに依然としてあるが、装備された板１２６およびボルト１１６は、後退し始めている。接続器８８は、このとき、機器Ａ内に部分的にしか係合されず、装備された板１２６は、依然として、上部筺体１２の底部表面の近位にありまたは接触もしながら、全体的に上部筺体１２０内にある。ボルト１１６としては、部分的にしか後退されない。
【００９３】
図２６は、図２５の後に続き、接触器８８は、このとき、機器Ａから全体的に係合解除される。他のばね１２８だけの影響の下で、板１２６は、上部筺体１２０の床部から天井まで鉛直方向Ｚに変位されている。
【００９４】
図２７によれば、ユーザは、機器Ａをもはや押さえ付けておらず、依然として電力供給されている電気モータ１１８は、ボルト１１６の後退および装備された板１２６の完全な引き出しを続行する。ボルト１１６は部分的ではあっても、係止切欠部１２４内に係合されたままであり、これは、可動支持体３０を保持する。
【００９５】
図１９と同一である図２８によれば、ボルト１１６は、全体的に係止切欠部１２４から係合解除される。可動支持体３０は、もはや、その下面１０６上に鉛直方向Ｚに作用するばね１１０の力を受けず、それによって、これを、機器Ａが取り外され得る位置である、図１９の空の位置ＰＬになるまで再度上昇させる。
【００９６】
装備１２の電動化が、ここで、図２９および３０を参照して説明される。電気モータ１１８は、装備１２に取り付けられる。これは、中央軸ＴＭが横断方向Ｙである回転式モータであり、このモータは、駆動プーリ１３２、ならびに上部筺体１２０の後方に配置された、横断方向軸ＴＰの第１の被駆動プーリ１３６、および底部筺体１２２の後方に配置された、横断軸ＴＶの、第１の被駆動プーリ１３６と同じ直径の第２の被駆動プーリ１３８を直接的に駆動する。表現「後方」は、図２９の文脈において「右に向かう」長手方向の位置を指す。ベルト１４２は、プーリを同じ回転方向に駆動するが、これは必須ではない。さらに、ベルト１４２は、ジョッキーローラ（ｊｏｃｋｅｙ−ｒｏｌｌｅｒ）１４４による引張力の下で保たれる。
【００９７】
第１の被駆動プーリ１３６は、第１の棒クランクシステム１３４を用いて板１２６を駆動する。棒は、装備された板１２６に枢動式に連結され、クランクは、プーリ１３６に枢動式に連結される。システム１３４は、装備された板１２６の後退位置ＰＲでは、棒およびクランクが、長手方向軸Ｘに沿って位置合わせされ、プーリ１３６上のクランクの固定枢動点は、できる限り後方にあり、板１２６の延長位置ＰＳでは、棒およびクランクは、依然として、長手方向軸Ｘに沿って位置合わせされ、プーリ１３６上のクランクの固定枢動点は、できる限り前方にあるように配置される。これに追加して、被駆動プーリ１３６の半回転は、装備された板１２６が後退位置ＰＲと延長位置ＰＳの間で進行される長手方向Ｘの変位に対応する。
【００９８】
第２の被駆動プーリ１３８は、簡単なクランク１４０を用いてボルト１１６を駆動する。クランクは、一方側のその端部の各々において、プーリ１３８に、他方側ではボルト１１６に枢動式に連結される。クランク１０４は、ボルト１１６の後退位置ＰＲでは、これが、長手方向軸Ｘに沿って位置合わせされ、プーリ１３８上のクランクの固定枢動点は、できる限り後方にあり、ボルト１１６の延長位置ＰＳでは、クランクは、ここでも、長手方向Ｘに沿って位置合わせされ、プーリ１３８上のクランクの固定枢動点は、できる限り前方にあるように配置される。したがって、第２の被駆動プーリ１３８の半回転は、後退位置ＰＲと延長位置ＰＳの間で進行されるボルト１１６の長手方向Ｘの変位に対応する。ここでは、装備された板１２６およびボルト１１６の前後の動作は、モータ１１８の半回転の結果、つまりこれらの半回転が、回転方向の逆転でもたらされようと、または同じ回転方向を継続することによってもたらされようと、その結果になることができると考えられる。図２９は、後退位置ＰＲにある装置を示し、図３０は、これが、接続器８８は機器Ａから係合解除されるが、ボルト１１６は係止切欠部１２４内に部分的に係合される、図２１、２２、２６および２７にあるような中間位置にあることを示す。
【００９９】
被駆動プーリ１３６、１３８ならびにその棒クランク１３４およびクランク１４０の機構は、装備された板１２６およびボルト１１６の、同時で同じ長さである長手方向の変位を可能にしなければならない。図では、プーリが同一であり、棒の締結枢動点が同じように偏心している実施形態が示される。この電動化および運動伝動装置に対する複数の代替策は、たとえば、回転式モータを、線形モータまたは電磁石に置き換えることによって使用可能であり、モータは、板およびボルトに直接的に接続される。
【０１００】
キット６０は、説明されたものなどの電動手段で容易に拡大され得る。これらの手段もまた、別個のキットの主題になることができる。
【０１０１】
現在提示されている別の実施形態では、機器Ａは、適所に置かれ、維持され、図３１を参照して次に説明される機械的装置を用いて連結され得る。この実施形態によれば、可動支持体３０は、筺体２０内に配置され、そこで、上面１０４が開口部１８から出現し、移動機器Ａが上部表面１０４上に置かれているだけの、図３１などの空の位置ＰＬと、押し下げられた位置ＰＥ−図３３との間で鉛直方向Ｚに変位され得る。下面１０６と筺体３０の底部１１２の間に配置された、ばね１１０、または代替として他の弾性手段が、可動支持体３０を空の位置ＰＬに向かって永続的に付勢する。特定の実施形態では、ばね１１０は、筺体の底部１１２内に設けられた、図示されない中空場所内で適所に維持され得る。側壁１０８は、開口部１８のへりとの相補的な係合を可能にする肩部を形成する。この係合は、空の位置ＰＬにおいて、ショルダが前記へりと当接することを可能にし、ばね１１０によって鉛直方向Ｚに付勢されているが、移動支持体３０は静止したままであり、その上側表面１０４は、開口部１８から出現する。
【０１０２】
装備１２には、さらに、第１の可動支持体３０の下方の、第１の可動支持体３０の下面１０６と、筺体の底部１１２の間に配置された第２の可動支持体１４８が設けられる。第２の可動支持体１４８は、第１の可動支持体３０と平行に延びる平坦な水平部１５０と、雌型接続器が設けられた機器Ａの側になるように配置された平行６面体のブロックを形成する鉛直方向延長部１５２とを備える。図３１では、この鉛直方向延長部１５２は、水平部１５０の右側に位置する幅上にある。水平部１５０には、ばね１１０がそこを通って延びる穴が設けられ、鉛直方向延長部１５２それ自体には、上記で説明された装備された板１２６が中に配置される中空空間１５４が設けられる。
【０１０３】
機器Ａおよび第１の可動支持体３０の主軸Ｚに沿った並進は、以下で説明する、第２の可動支持体１４８、先端板１６０、および棒クランク装置を備える新しい伝動機構１５６を用いて、装備された板１２６の長手方向の並進Ｘに変換される。
【０１０４】
第２の可動支持体１４８の下方では、筺体の底部１１２内に形成された空洞１５８内に、横断方向軸Ｙ回りで斜めになる板１６０が、配置される。板１６０には、カム１６２が設けられ、このカムの半円形の輪郭は２つの切欠部１６４を有する。カム１６２は、カム１６２の輪郭に対してばねまたは任意の他の弾性手段によって永続的に付勢された指部１６６によって辿られる。指部１６６が２つの切欠部１６４の１つに移動したとき、これは、板１６０の安定位置を画定する。板１６０の２つの安定位置Ｐ１およびＰ２は、互いに線対称に傾斜された位置であり、その位置では、板１６０は、筺体の底部１１２とは平行ではなく、板の一方の縁は、第２の可動支持体１４８の下部に接触する。カム１６２の本体の偏心点１６８には、クランク１７０の端部の一方が枢動式に装着され、このクランク１７０は、棒１７２と枢動連結する別の端部まで延び、棒１７２としては、装備された板１２６に枢動式に連結された端部自体まで延びる。３つの枢動連結が、横断方向軸Ｙに沿ってもたらされる。
【０１０５】
代替として、かつ他所で説明されてきたように、装備１２は、所与の機器Ａの寸法に正確に形成されるのではなく、機器Ａの複数の型式を収容するためにより大きく形成され、周囲アダプタおよび任意選択で厚みアダプタを備える特有のアダプタが設けられ得る。
【０１０６】
さらに、図の左に図式で示されるように、かつそのことについて言えば、これはその真の場所ではないが、第１の可動支持体３０には、上記で説明されたような移動可能な指部によって辿られるハート形状のカム３２が設けられる。
【０１０７】
機器Ａを適所に置くためのステップが、次に説明される。
【０１０８】
図３１によれば、装備１２は、空の位置ＰＬにあり、可動支持体３０の上面１０４は、開口部１８から出現する。機器Ａは、可動支持体３０上に置かれ、そのため、全体的に筺体２０の外側にある。第２の可動支持体１４８は、第１の可動支持体３０の下面１０６から遠くの、かつ筺体２０の底部１１２からも遠くの中間の上側位置に維持される。斜めの板１６０は、指部の右に向かって傾斜された第１の安定位置Ｐ１にあり、したがって、第２の可動支持体１４８を上方向に押し戻す。この安定位置は、指部１６６によって与えられ、この指部１６６の先端部は、カム１６２の切欠部１６４内に移動される。クランク１７０および棒１７２は、装備された板１２６を全体的に空間１５４内に維持する。
【０１０９】
図３２によれば、ユーザは機器Ａを押さえ付け、これを、第１の可動支持体３０がばね１１０を十分に圧縮するまで押し下げ、第１の可動支持体３０の下面１０６は、第２の可動支持体１４８と接触状態にある。第１の可動支持体３０の押し下げのこの点において、接触器８８は、機器Ａの雌型接続器に正確に面する。機器Ａの押し下げのこの第１の段階中、第２の可動支持体１４８、装備された板１２６、および伝動機構１５６は、移動していない。
【０１１０】
図３３によれば、押さえ続け、かつ機器Ａの押し下げ運動を干渉することなく、第１の可動支持体３０は、第２の可動支持体１４８が、筺体１１２の底部と接触状態になるまでこれを押し戻す。この変位ステップにおいて、第２の可動支持体１４８は、鉛直方向延長部１５２、したがって装備された板１２６を下方向に駆動し、この運動においては、接続器８８は、機器Ａの接続器と位置合わせされたままである。これが筺体の底部１１２に近付くにつれて、第２の可動支持体１４８は、板１６０を、これが水平位置−図３３−に、第２の可動支持体１４８に対して表面当接状態になるまで枢動させる。この水平位置では、指部１６６は、カムの輪郭の頂点上の２つの切欠部１６４間にあり、それによってこの位置を不安点にする。板１６０のこの斜めの移動は、装備された板１２６を長手方向Ｘに変位させている、クランク１７０および棒１７２の変位を引き起こしている。そのようにするとき、雄型接続器８８は、機器Ａに差し込まれており、図３３に示されるように、接続器８８は、ほぼ半分まで差し込まれている。
【０１１１】
図３４によれば、ユーザが機器Ａ上の圧力を解放する状態で、これは再度上昇し、第１の可動支持体３０は、このとき、ばね１１０の鉛直方向力を受けているだけである。指部１６６によって付勢されると、板１６０は、再度、指部１６６が他方の切欠部１６４内にある他の安定位置Ｐ２になるまで同じ方向に斜めになり続ける。板１６０の斜めになるこの第２の部分は、機器Ａ内に全体的に挿入されている電気接続器８８を変位させ続けている。この上方向の変位の終了時、機器Ａは静止され、開口部１８から出現し、使用位置ＰＵにある。
【０１１２】
機器Ａを取り外すには、機器Ａを再度押さえ付けるだけで十分であり、それによって、再度機器Ａを押し下げ、板１６０を、この時は他方の回転方向に、図の文脈では時計周り方向に斜めにさせる。この回転は、棒およびクランクによって接続器８８の接続解除の運動に変換され、装備された板１２６は、空間１５４内に戻る。圧力を解放すると、機器Ａは上昇し続け、筺体２０を再度離れて、これが再度取り外され得る空の位置−図３１−に至る。
【０１１３】
第１の可動支持体３０の鉛直方向変位は、ハート形状のカム３２の輪郭内の指部の進行によって標識される。
【０１１４】
数多くの代替策が、説明された実施形態から導き出され得る。特に、板１６０は、斜め作用が、第２の可動支持体１４８を開口部１８に向かって押し出すという条件で、任意の形態の要素によって置き換えられ得る。
【図１】
2015521555.tif 000003
【図２】
2015521555.tif 000004
【図３】
2015521555.tif 000005
【図４】
2015521555.tif 000006
【図５】
2015521555.tif 000007
【図６】
2015521555.tif 000008
【図７】
2015521555.tif 000009
【図８】
2015521555.tif 000010
【図９】
2015521555.tif 000011
【図１０】
2015521555.tif 000012
【図１１】
2015521555.tif 000013
【図１２】
2015521555.tif 000014
【図１３】
2015521555.tif 000015
【図１４】
2015521555.tif 000016
【図１５】
2015521555.tif 000017
【図１６】
2015521555.tif 000018
【図１７】
2015521555.tif 000019
【図１８】
2015521555.tif 000020
【図１９】
2015521555.tif 000021
【図２０】
2015521555.tif 000022
【図２１】
2015521555.tif 000023
【図２２】
2015521555.tif 000024
【図２３】
2015521555.tif 000025
【図２４】
2015521555.tif 000026
【図２５】
2015521555.tif 000027
【図２６】
2015521555.tif 000028
【図２７】
2015521555.tif 000029
【図２８】
2015521555.tif 000030
【図２９】
2015521555.tif 000031
【図３０】
2015521555.tif 000032
【図３１】
2015521555.tif 000033
【図３２】
2015521555.tif 000034
【図３３】
2015521555.tif 000035
【図３４】
2015521555.tif 000036
【手続補正書】
【提出日】平成27年2月13日(2015.2.13)
【手続補正１】
【補正対象書類名】特許請求の範囲
【補正対象項目名】全文
【補正方法】変更
【補正の内容】
【特許請求の範囲】
【請求項１】
特に自動車内の装飾計器盤（１４）を有する装備（１２）内に移動機器（Ａ）を装着するための装置（１０）であって、前記装飾計器盤（１４）には、前記移動機器（Ａ）を受け入れることができる筺体（２０）に接近できる開口部（１８）が設けられる、装置（１０）において、
前記筺体（２０）の底部に固定された基部（２２）と、
前記基部（２２）の近くにある押し下げられた位置（Ｐ１）と、前記基部（２２）から遠くにある空の位置（Ｐ２）との間で前記基部（２２）に対して変位可能である可動支持体（３０、３４）であって、前記移動機器（Ａ）を受け入れることができる主壁（３６）を有する、可動支持体（３０、３４）と、
前記可動支持体（３０、３４）をその空の位置（Ｐ２）および押し下げられた（Ｐ１）位置に維持する保持装置（２６、３２、４０、５６）とを備え、
それにより、前記押し下げられた位置（Ｐ１）では、前記移動機器（Ａ）の正面（１６）が、前記開口部（１８）から出現し、前記装備（１２）の前記装飾計器盤（１４）と表面連続状態にあり、前記空の位置（Ｐ２）では、前記可動支持体（３０、３４）の主壁（３６、３８）が、前記開口部（１８）から出現し、前記装備（１２）の前記装飾計器盤（１４）と表面連続状態にあり、
前記可動支持体（３０、３４）が、移動機器（Ａ）の型式に左右されない汎用支持体（３０）と、移動機器（Ａ）の特定の型式特有の交換可能な厚みアダプタ（３４）とを備え、前記厚みアダプタ（３４）は、前記汎用支持体（３０）上に配置され、その厚さ（ｅｐ２）は、前記移動機器（Ａ）の厚み（ｅｐ１）に応じて選択され、それにより、前記押し下げられた位置（Ｐ１）では、前記型式の前記移動機器（Ａ）の正面（１６）は、前記装飾計器盤（１４）と表面連続状態にあることを特徴とする装置（１０）。
【請求項２】
請求項１に記載の装置（１０）において、前記可動支持体（３０、３４）と前記基部（２２）の間に配置された弾性手段（２４）をさらに備え、前記弾性手段（２４）は、前記可動支持体（３０、３４）を前記空の位置（Ｐ２）に向かって永続的に付勢する、装置（１０）。
【請求項３】
請求項１又は２のいずれか一項に記載の装置（１０）において、移動機器（Ａ）の特定の型式特有の交換可能な周囲アダプタ（４４）をさらに備え、前記周囲アダプタ（４４）は、前記筺体（２０）の前記開口部（１８）内に配置され固定され、それ自体に、移動機器（Ａ）の前記型式の寸法（Ｌａ、Ｌｇ）特有の開口（５８）が設けられ、それにより、前記移動機器（Ａ）が適所に置かれた状態では、その正面（１６）は、前記特有の開口部（５８）を完全に塞ぎながら、前記装備（１２）の前記装飾計器盤（１４）と表面連続状態にある、装置（１０）。
【請求項４】
請求項１から３のいずれか一項に記載の装置（１０）において、前記保持装置（２６、３２、４０、５６）が、カム（３２）および指部（２６）を備え、前記カム（３２）は、前記可動支持体（３０）または前記基部（２２）に取り付けられ、前記指部は、前記基部（２２）または前記可動支持体（３０）それぞれに取り付けられ、前記カム（３２）および前記指部（２６）は、前記カム（３２）および前記指部（２６）の決定された相対位置（Ｌ３）において、前記可動支持体（３０、３４）が前記押し下げられた位置（Ｐ１）に保持されるように協働する、装置（１０）。
【請求項５】
請求項１から４のいずれか一項に記載の装置（１０）において、前記保持装置（２６、３２、４０、５６）が、前記可動支持体（３０、３４）を前記空の位置（Ｐ２）に保持するように、前記装飾計器盤（１２）に取り付けられた押し付け表面（５６）と協働する、前記可動支持体（３０、３４）に取り付けられた停止部（４０）を備える、装置（１０）。
【請求項６】
請求項１から５のいずれか一項に記載の装置（１０）において、前記可動支持体（３０、３４）の前記主壁（３６）が、分離可能および交換可能な装飾カバー（３８）を含む、装置（１０）。
【請求項７】
請求項１から６のいずれか一項に記載の装置（１０）において、前記移動機器（Ａ）を前記場所（２０）で適所に維持するための装置（６２）をさらに備える装置（１０）。
【請求項８】
請求項７に記載の装置（１０）において、前記装置（６２）が、前記移動機器（Ａ）が中に置かれる、または前記場所（２０）から取り外され得る開位置（ＰＯ）と、前記移動機器（Ａ）が前記場所（２０）で適所に維持される閉位置（ＰＦ）との間で変位可能な板（７０）を備える、装置（１０）。
【請求項９】
請求項８に記載の装置（１０）において、前記ホールド装置（６２）には、弾性手段（８２、８４）が設けられ、前記弾性手段（８２、８４）は、前記板（７０）の前記閉位置（ＰＦ）において、前記移動機器（Ａ）が適所に維持されるように前記移動機器（Ａ）に力をかける、装置（１０）。
【請求項１０】
請求項９に記載の装置（１０）において、前記ホールド装置が、さらに、前記板上に配置された第２の弾性手段（８２、８４）を備え、それにより、前記板（７０）の前記閉位置において、前記弾性手段（８２、８４）は、前記移動機器（Ａ）に同時作用の力をかけ、前記同時作用の力は、その隅部において、前記移動機器（Ａ）の位置を前記場所（２０）に調整するようにかけられる、装置（１０）。
【請求項１１】
請求項７から１０のいずれか一項に記載の装置（１０）において、前記移動機器（Ａ）に適合される電気接続器（８８）を備え、それにより、前記機器は、再充電され、他の電子装置を備える電子ネットワークに接続され得る、装置（１０）。
【請求項１２】
請求項１１に記載の装置（１０）において、前記接続器（８８）が、前記板（７０）上に配置され、それにより、前記開位置（ＰＯ）では、前記接続器（８８）は前記移動機器（Ａ）から遠くにあり、前記閉位置（ＰＦ）では、前記接続器（８８）は、前記移動機器（Ａ）に向かって移動され、前記移動機器（Ａ）に相補的に接続される、装置（１０）。
【請求項１３】
請求項８から１２のいずれか一項に記載の装置（１０）において、カムトラック（９６）をさらに備え、前記カムトラック（９６）に対して、カム従動子（９８）が永続的に付勢され、前記トラック（９６）、前記従動子（９８）は、相互に、前記板（７０）に取り付けられ、その一方で前記従動子（９８）、前記トラック（９６）は、相互に前記装備（１２）に取り付けられ、前記従動子（９８）は、前記カムトラック（９６）に沿って、前記板（７０）が前記開位置（ＰＯ）にあるときに到達される第１の位置と、前記板（３０）が前記閉位置（ＰＦ）にあるときに到達される第２の位置との間を進行し、前記カムトラック（９６）には、少なくとも１つの位置決め切欠部（１０２）が設けられ、前記位置決め切欠部（１０２）では、前記従動子（９８）は、前記閉位置（ＰＦ）を安定化するために前記板（７０）の前記閉位置（ＰＦ）に係合される、装置（１０）。
【請求項１４】
請求項８から１３のいずれか一項に記載の装置（１０）において、前記板（７０）に取り付けられた把持手段（６６）をさらに備え、それにより、ユーザは、前記板（７０）を前記開位置（ＰＯ）と閉位置（ＰＦ）の間で手動で変位させることができる、装置（１０）。
【請求項１５】
請求項７から１１のいずれか一項に記載の装置（１０）において、前記ホールド装置の変位のための電動または磁気の自動式手段をさらに備える、装置（１０）。
【請求項１６】
請求項１５に記載の装置（１０）において、前記ホールド装置（６２）および前記接続器（８８）の変位を制御する電気作動装置（１１８）をさらに備える、装置（１０）。
【請求項１７】
請求項１６に記載の装置（１０）において、前記維持装置（６２）および前記接続器（８８）の変位が、伝動手段（１３２−１４４）が設けられた電気モータ（１１８）である前記同じ作動装置（１１８）によって制御され、前記伝動手段（１３２−１４４）は、前記電気モータ（１１８）、前記ホールド装置（６２）、および前記接続器（８８）を接続し、それにより、前記ホールド装置（６２）および前記接続器（８８）は、連動して駆動され、したがって、前記ホールド装置（６２）の後退位置（ＰＲ）では、前記接続器（８８）は接続解除され、延長位置（ＰＳ）では、前記接続器（８８）は接続される、装置（１０）。
【請求項１８】
請求項１７に記載の装置（１０）において、前記可動支持体（３０）が押し下げられた位置（ＰＥ）にあるときに電力供給されるように配置された前記作動装置（１１８）の制御手段（１３０）をさらに備える、装置（１０）。
【請求項１９】
請求項１８に記載の装置（１０）において、前記制御手段（１３０）が、前記可動支持体（３０）の位置のセンサを備える、装置（１０）。
【請求項２０】
請求項１９に記載の装置（１０）において、前記位置センサが、前記筺体（１１２）の底部に配置された電気接触器（１３０）であり、前記可動支持体（３０）が押し下げられた位置（ＰＥ）に到着したときに前記可動支持体（３０）によって作動される、装置（１０）。
【請求項２１】
請求項１６から２０のいずれ一項に記載の装置（１０）において、前記制御手段（１３０）が、前記可動支持体（３０）上の前記移動機器（Ａ）の存在の検出器をさらに備え、それにより、前記可動支持体（３０）の空の位置（ＰＬ）では、移動機器（Ａ）の存在が、前記可動支持体（３０）の押し下げられた位置（ＰＥ）に向かう自動式変位を引き起こす、装置（１０）。
【請求項２２】
請求項７から１２のいずれ一項に記載の装置（１０）において、前記第１の可動支持体（３０）と協働するように配置され前記主軸（Ｚ）に沿って並進して移動可能な第２の可動支持体（１４８）を備える機械的伝動手段が、さらに設けられ、前記第２の可動支持体（１４８）には、前記ホールド装置（６２）が前記長手方向軸（Ｘ）に沿って摺動式に配置される場所が設けられる、装置（１０）。
【請求項２３】
請求項２２に記載の装置（１０）において、前記機械的伝動手段が、前記第２の可動支持体（１４８）の前記主軸（Ｚ）に沿った変位を伝動し、前記ホールド装置（６２）の長手方向変位（Ｘ）に変換する棒クランクシステムをさらに備える、装置（１０）。
【請求項２４】
装飾計器盤（１４）および請求項１によって形成された装置（１０）が設けられた装備（１２）内に特定の型式（Ｍ１）の移動機器（Ａ）を設置するためのキット（６０）であって、
前記可動支持体（３０）上に嵌合することができ、移動機器（Ａ）の前記型式（Ｍ１）に特に適合された寸法を有する厚みアダプタ（３４）と、
前記筺体（２０）の前記開口部（１８）内に配置され固定されることが可能である周囲アダプタ（４４）であって、それ自体に、移動機器（Ａ）の前記型式（Ｍ１）の寸法（Ｌａ、Ｌｇ）特有の開口部（５８）が設けられた、周囲アダプタ（４４）とを備え、
それにより、前記型式（Ｍ１）の移動機器（Ａ）が、適所に置かれ、その正面（１６）は前記特有の開口部（５８）を全体的に塞ぎながら、前記装飾計器盤（１４）と表面連続状態にある、キット（６０）。
【国際調査報告】
2015521555.tif 000037
2015521555.tif 000038
2015521555.tif 000039
2015521555.tif 000040
2015521555.tif 000041
2015521555.tif 000042